(57)【特許請求の範囲】
【請求項１】
イベントへの入場者の入場許否を処理する方法であって、
予め前記入場者に提供されたマスクであって前記イベントへの入場許可情報を含んでおりカメラを用いた読み取りが可能な情報記録部を有する当該マスクを前記イベントの会場において着用した前記入場者に対し、当該入場者の顔に向けられた携帯型の検出装置のカメラによって前記マスクの前記情報記録部の前記入場許可情報が読み取られるとともに前記検出装置の非接触型温度センサによって前記入場者の顔から前記入場者の体温が測定される第１ステップと、
前記入場許可情報と前記体温の測定結果とに基づいて前記入場者の入場許否を示す情報が前記検出装置の報知部により報知される第２ステップと、
を含み、
前記情報記録部は、前記マスクの正面に設けられる一次元コード、二次元コード、ブロックコード又は絵文字の何れかの印刷パターンであり、
前記第１ステップでは、前記検出装置に対する１つの操作に対応して前記入場許可情報の読み取りと前記体温の測定の何れも実行される、
イベントの入場許否処理方法。
【請求項２】
前記情報記録部は、前記印刷パターンを前記マスクの正面に印刷したものである、  請求項１に記載のイベントの入場許否処理方法。
【請求項３】
前記情報記録部は、前記印刷パターンに対応するシールを前記マスクの正面に貼り付けたものである、  請求項１に記載のイベントの入場許否処理方法。
【請求項４】
前記入場許可情報は、前記入場者の連絡先と当該入場者の名前とを含む、  請求項１〜３の何れか１項に記載のイベントの入場許否処理方法。
【請求項５】
前記第１ステップで前記検出装置により読み取られた前記入場許可情報及び前記検出装置により測定された前記体温が前記検出装置からサーバーへ送られ、当該サーバーにおいて前記入場許可情報及び前記体温を含む入場者データベースが作成される第３ステップ、を更に含む、請求項１〜４の何れか１項に記載の入場許否処理方法。
【請求項６】
前記印刷パターンは、前記マスクの正面中央領域の上部において、鼻に当てる部分の脇の領域に設けられる、  請求項１〜５の何れか１項に記載の入場許否処理方法。 
【発明の詳細な説明】
【技術分野】
【０００１】
本発明は、各種イベント会場や乗物等の所定の場所に立ち入る際に使用して便利なマスク等に関する。
【背景技術】
【０００２】
コンサートホール、展示会会場、スーパーマーケット、会社建物等の人が集まる場所では、感染予防の対策が求められている。例えば、人との接触を避け、対人距離を確保すること、感染防止のために入場者が密にならないように整理、発熱またはその他の感冒様症状を呈している者の入場制限、入口及び施設内の手指の消毒設備の設置、従業員及び入場者のマスクの着用、発熱者を体温計などで特定し入場を制限すること、感染が発生した場合に備え、個人情報の取扱に十分注意しながら入場者等の名簿を適正に管理すること、等である。
【０００３】
このような感染防止対策の先行技術として、非接触で患者の体温を測定する装置として特開２００５−２３７８６１号公報に記載の自動検温装置および自動検温方法（特許文献１）、非接触で人の顔の複数の部位の体温を測定する特開２０１９−１２６６５７号公報に記載の検出装置及び検出プログラム（特許文献２）がある。これ等の装置は所定の効果が得られるものであるが、プログラムが複雑で装置システムが大型化しているので設置できる場所が限られ、設置にも手間と費用が掛かる。コンサート、映画、自動車展示会、演奏、美術展等の各種イベントでは、多数のイベント会場が使用されており、イベント期間も比較的に短い。このため各イベント会場に大型の自動検温装置や検出装置をイベント主催者や場所の提供者が設置することは難しい。イベントの主催者は、上述のようにイベント会場において各種のウィルス等の感染予防対策を講ずることが求められている。例えば、イベント会場では、入場券発行、入場券の確認、入場者のマスク着用確認、体温検出、入場者名簿の作成等を比較的に安価な費用で迅速に行わなければならない。
【先行技術文献】
【特許文献】
【０００４】
【特許文献１】特開２００５−２３７８６１号公報
【特許文献２】特開２０１９−１２６６５７号公報
【発明の概要】
【発明が解決しようとする課題】
【０００５】
本発明の一態様は、比較的に簡易な構成で入場者の入場券及びマスク着用確認を可能とするマスクを提供することを目的の１つとする。
本発明の一態様は、当該マスクを使用して入場者の入場券の確認、体温検出、入場者名簿の作成等を容易にする検出装置を提供することを目的の１つとする。
また、本発明の一態様は、検出装置による検出結果のデータベースを構築可能なサーバーを提供することを目的の１つとする。
また、本発明の一態様は、上記マスクを使用してイベントの入場許否を容易に処理し得る方法を提供することを目的の１つとする。
【課題を解決するための手段】
【０００６】
本発明に係る一態様のイベントの入場許否処理方法は、（ａ）イベントへの入場者の入場許否を処理する方法であって、（ｂ）予め前記入場者に提供されたマスクであって前記イベントへの入場許可情報を含んでおりカメラを用いた読み取りが可能な情報記録部を有する当該マスクを前記イベントの会場において着用した前記入場者に対し、当該入場者の顔に向けられた携帯型の検出装置のカメラによって前記マスクの前記情報記録部の前記入場許可情報が読み取られるとともに前記検出装置の非接触型温度センサによって前記入場者の顔から前記入場者の体温が測定される第１ステップと、（ｃ）前記入場許可情報と前記体温の測定結果とに基づいて前記入場者の入場許否を示す情報が前記検出装置の報知部により報知される第２ステップと、を含み、（ｄ）前記情報記録部は、前記マスクの正面に設けられる一次元コード、二次元コード、ブロックコード又は絵文字の何れかの印刷パターンであり、（ｅ）前記第１ステップでは、前記検出装置に対する１つの操作に対応して前記入場許可情報の読み取りと前記体温の測定の何れも実行される、イベントの入場許否処理方法である。
【発明の効果】
【０００７】
上記構成によれば、マスクをイベントの入場券として使用することが可能となるので、イベント来場者はイベント会場に入場する際にマスクを必ず持参することになる。更に、マスクの情報から入場者のデータベースを作ることを容易にする。また、上記構成によれば、上記マスクを着用した入場者から体温とマスクの情報を非接触で検出してこれを可視的に表示することができるので、イベント主催者や従業員は入場整理が容易となる。また、入場者に関連する情報と入場者の体温とを関連づけてデータベース化するので、入場者データベースの形成やイベント後の連絡等が容易になる。
【図面の簡単な説明】
【０００８】
【図１】図１は一実施形態のマスクと検出装置を使用した入場管理の例を説明する説明図である。
【図２】図２は一実施形態のマスクの例を説明する説明図である。
【図３】図３は一実施形態の検出器を正面側から見た例を説明する説明図である。
【図４】図４は一実施形態の検出器を背面側から見た例を説明する説明図である。
【図５】図５は一実施形態の検検出器のＬＣＤ表示器の表示例を説明する説明図である。
【図６】図６は検出器の構成例を説明する説明図である。
【図７】図７は検出器の動作例１を説明する説明図である。
【図８】図８は検出器の動作例２を説明する説明図である。
【図９】図９は入場者データベースの例を説明する説明図である。
【図１０】図１０は検出器の動作例３を説明する説明図である。
【発明を実施するための形態】
【０００９】
図１〜図５は、一実施形態のマスクと検出器（検出装置）を使用した入場管理（入場許否処理方法）の例を説明する説明図である。図１は一実施形態のマスクと検出装置（検出器）の概要、図２はイベント用マスクの例、図３及び図４は検出器（検出装置）の例、図５は検出器（検出装置）の表示例を示している。
【００１０】
図１（Ａ）に示すように、イベントの参加者は会場への入場の際に係員による入場チェックを受ける。イベント会場に入場する者（以下、「入場者」という。）は、イベント用のマスク１０を持参し、着用するように求められている。マスク１０は、イベントチケット購入の際にチケット販売の窓口においてチケット（紙券）の代わりにあるいはチケットとして予め入場者に提供される。また、ウェブなどによるネット販売の場合には郵送、宅配、コンビニ等によって予め入場者に提供される。なお、図示のマスク１０に代えて、後述の情報記録部１３に相当する機能を持つ印刷シールを提供し、各自所有のマスクの所定位置に貼り付けさせるようにしてしてもよい。これらのいずれかの方法により、マスク１０を予め入場者に入手させることができる。
【００１１】
図２に示すように、マスク１０は口及び鼻の部分を覆う横長の長方形状の本体部１１とこの本体部１１の両側それぞれ設けられた耳当て部１２を備える。そして、本体部１１の正面中央領域の上部において、鼻に当てる部分の脇の領域に情報が記録された情報記録部１３が設けられている。情報記録部１３は、例えば、入場券情報（入場許可情報）などが記録された印刷パターン（一次元コードや二次元コード）によって形成されている。例えば、記録領域が一方向に延在する一次元コードとしてはバーコード、記録領域が二方向に延在する二次元コードとしてはＱＲコード（ＱＲコードは（株）デンソーウェーブの登録商標）等を使用することができるが、これに限定されない。読み取り可能であれば各種のブロックコードや絵文字などであってもよい。
【００１２】
情報記録部１３の情報（入場許可情報）は、好ましくはチケット（紙券）に表示される情報、例えば、イベントの名称やイベントを表す番号・符号、イベントの日時、チケットに付されたチケット番号や符号、座席番号等を適宜に含む。この場合には予め当該情報をデジタルコードで情報記録部１３に印刷した（一般向けの）イベント用マスクを多数用意することができる。
【００１３】
また、当該イベントの入場券がウェブ等の予約販売等である場合には、予約受付の際に所定事項の書込みによってチケット購入者（入場予定者）に関する情報が判る。そして、チケットに表示される情報に加えて、更に、チケット購入者の番号、チケット購入日、チケット購入者の名前、連絡先の住所・電話番号等が入場券情報として図示しない予約サーバーに記憶される。このような予約者に関する情報を入場券情報の一部として情報記録部１３に記録したマスクをチケット購入者毎に作成することができる。チケット購入者毎の（個性化された）イベント用マスクを郵送等の手段によって当該購入者に提供することができる。なお、マスクに貼着可能な印刷シールに当該情報を印刷したものをチケット購入者に提供するようにしてもよい。
【００１４】
図１（Ａ）に示すように、入場者チェックの際にマスク１０に記録された情報記録部１３が検出器２０ａによって読み取られる。検出器２０ａは図３に示す検出器２０と同様の外観の携帯型装置であり、例えば、係員がＱＲコードで記録された印刷パターンに検出器２０ａのカメラを向けて入場券情報を読み取らせる。検出器２０ａは入場券情報の所定部分から入場の適正（許否）を判別し、判別結果を検出器２０ａの表示器に表示する。読み取り情報、判別結果は検出器２０ａの内蔵のメモリに記憶することができる。また、読み取り情報を外部のサーバー３０に送り、サーバー３０に入場の適正を判別させ、判別結果を検出器２０ａに返信させて検出器２０ａの表示器に表示するようにしてもよい。サーバー３０は検出器２０ａと有線又は無線で接続されたパソコンやネットワーク上のサーバーであってもよい。係員は検出器２０ａに表示された判別結果に基づいて入場者の入場の可否を決定する。
【００１５】
この結果、イベント用マスクを利用した入場券発行、入場券の確認、入場者のマスク着用確認、入場者に関連した名簿リストの作成等を比較的に安価な費用で迅速に行うことが可能となる。
【００１６】
図１（Ｂ）に示す他の例では、図１（Ａ）に示した入場の際にマスクの情報をチェックする例に対して、さらに入場者の体温測定を追加した点が異なっている。他の構成は図１（Ａ）の例と同様である。この例では図３及び図４に示すように、検出器２０は携帯型の装置であり、非接触型温度センサ２３とＣＣＤカメラ２２を備えている。例えば赤外線センサや温度カメラを非接触型温度センサ２３として使用することが可能である。赤外線センサは比較的に狭い領域の温度測定に好適であり、顔の一部（例えば額）の体温を測定することができる。温度カメラは画像の温度分布を計測可能である。ＣＣＤカメラ２２と図示しない認識アルゴリズム（プログラム）によって画像認識部を構成し、マスク１０の情報記録部１３に記録された情報を読み取る。
【００１７】
係員が入場チェックを行う場合、検出器２０の電源スイッチ２４をオンにして、ＣＣＤカメラ２２を入場者の顔に向け、開始スイッチ２１を操作する。それにより、ＣＣＤカメラ２２から入場者の顔の画像が取り込まれ、画像認識によって読み取り画像からマスク１０の情報記録部１３が検出され、記録された情報が復号化される。また、それと同時に非接触型温度センサ２３で入場者の所定部位の体温が測定される。検出器２０は復号化された情報の所定部分から入場の適正を判別し、判別結果を検出器２０のＬＣＤ表示器２７に表示する。
【００１８】
図５は係員による検出器２０のカメラ撮影画像をＬＣＤ表示器２７に表示した例を示しており、入場者の顔が表示されている。係員はＣＣＤカメラ２２の向きを調整して画面中央部に示されるマーカー２７ａを表示された顔の体温測定位置に重ね、また入場者とＣＣＤカメラ２２との距離を調整して顔全体が表示画面内に収まるようにする。そして、係員が開始スイッチ２１を操作すると、体温測定とマスク１０の情報記録部１３からの情報の読み取りが行われる。読み取りが終わると判定が行われる。判定結果は、例えばＬＣＤ表示器２７を報知部として用いて、そのバックライトの色によって表すことができる。例えば入場禁止の場合は「赤色」、要注意の場合は「黄色」、入場許可の場合は「緑色」とする。判定後、画面には、顔の画像に加えて、検査の日付、入場券情報の一部、測定された体温などが表示される。なお、ＬＣＤ表示機２７のバックライトの色表現による報知に代えて、あるいはバックライトの色表現と合わせて入場許否を示す文字や記号などの情報による報知としてもよい。
【００１９】
この実施形態においても、読み取り情報、体温、判別結果は検出器２０の内蔵のメモリに記憶することができる。また、係員が転送スイッチ２５を操作して（あるいは自動的に）読み取り情報を外部のサーバー３０に送り、サーバー３０で入場の適正を判別し、判別結果を検出器２０に返信して検出器２０のＬＣＤ表示器２７に判別結果を表示するようにしてもよい。サーバー３０は検出器２０と有線又は無線で接続されたパソコンやネットワーク上のサーバーであってもよい。係員は検出器２０に表示された判別結果に基づいて入場者の入場の可否を決定する。係員の作業（検温および情報記録部の読み取り）は入場者一人に対してその顔へ検出器２０を一回向けるだけで済むので作業が効率的である。
【００２０】
この結果、イベント用マスクを利用した入場券発行、入場券の確認、入場者のマスク着用確認、入場者の体温測定、入場者に関連した名簿リストの作成等を比較的に安価な費用で迅速に行うことが可能となる。
【００２１】
図６は、検出器（検出装置）２０の構成例を説明する説明図である。同図に示されるように、検出器２０の制御系は、既述した、計測を指令する信号を出力する開始スイッチ２１、顔の画像を撮影するＣＣＤカメラ２２、皮膚表面の温度（体温）を検出する赤外線センサ（非接触型温度センサ）２３、電源のオンオフを指令する信号を出力する電源スイッチ２４、データの転送を指令する信号を出力する転送スイッチ２５、回路の動作状態のリセットを指令する信号を出力するリセットスイッチ２６、画像及び情報を表示するＬＣＤ表示器２７、起動完了・注意喚起・体温測定の完了等の報知を音声や発光で行うブザー／ＬＥＤ２８、指令信号に応じて装置の動作を制御する制御部２００、赤外線センサ２３の出力信号を増幅する増幅器２０１、検出器２０の動作電源を供給する電池２０２、制御プログラムや画像認識プログラム、温度補償用のデータ、テストプログラム等などを不揮発で記憶するプログラム・データメモリ２０３、ＳＤカード等の取り外し可能なメモリカード２０４、検出器２０と外部のパソコンやサーバー３０とデータ通信を行う無線インタフェース２０５、赤外線センサ２３の補正を行うためのサーミスタなどからなる温度センサ２０６等によって構成される。
【００２２】
制御部２００は、例えば一般的なワンチップのマイクロコンピュータ等によって構成されており、図示しないＣＰＵ、ＲＡＭ、ＲＯＭ、画像メモリ、各種レジスタ、入力インタフェース、カメラインタフェース、Ａ／Ｄ変換器、出力インタフェース、画像出力インタフェース、内部信号バス等を含んでいる。入力インタフェースには、開始スイッチ２１、電源スイッチ２４、転送スイッチ２５、及びリセットスイッチ２６の出力信号が供給される。カメラインタフェースにはＣＣＤカメラ２２の出力信号が供給される。Ａ／Ｄ変換器には赤外線センサ２３の出力を適当なレベルに調整した増幅器２０１の出力信号が供給され、Ａ／Ｄ変換器はデジタル信号に変換して内部レジスタに供給する。温度センサ２０６は赤外線センサ２３の装置温度を検出して出力信号を出力する。この出力信号はＡ／Ｄ変換されて赤外線センサ２３の温度補償に使用される。温度補償はＣＰＵが図示しない温度補償プログラムを実行することによって行われる。
【００２３】
次に制御部２００の第１の動作例について図７に示すフローチャートを参照して説明する。第１の動作例は既述した図１（Ａ）に示した実施形態に相当するもので、マスクからの情報検出は行うが、体温検出は行わない。
【００２４】
係員が電源スイッチ２４をオンにすると、制御部２００は動作を開始する（スタート）。制御部２００は初期化などの初期動作を行い、ＣＣＤカメラ２２を動作させ、撮影した画像をＬＣＤ表示器２７に表示する（ステップＳ１０）。
【００２５】
制御部２００はＬＣＤ表示器２７に「マーカーを測定位置（タグ）に合わせて開始スイッチを押して下さい」と表示し、係員にＣＣＤカメラ２２を移動してＬＣＤ表示器２７の画面のマーカー２７ａをマスク１０の情報記録部１３に合わせるように促す（ステップＳ２０）。
【００２６】
制御部２００は開始スイッチ２１の出力を監視し（ステップＳ３０，Ｎｏ）、係員が開始スイッチ２１をオンにしたことを検知すると（ステップＳ３０，Ｙｅｓ）、画像を取り込み、画像認識によって情報記録部１３に記録された情報を復号し、例えば入場券情報を読み取る（ステップＳ５０）。
【００２７】
制御部２００は予めプログラムメモリ２０３に記憶されている判別用のデータと読み取った入場券情報の一部とを照合し、正規の入場券であるかどうか、マスク着用者の入場資格の有無を判定する（ステップＳ７０）。そして、判定した結果を表示する。例えば、判定結果が「真」であればＬＣＤ表示器２７のバックライトを「緑色」とする。判定結果が「偽」であればＬＣＤ表示器２７のバックライトを「赤色」とする。「真」「偽」不明であれば「黄色」とする（ステップＳ８０）。係員は判別結果が「真」であるときは対象者を入場させ、「偽」であるときは入場を断り、「真」「偽」不明である場合には予め決められた再検査・事情確認等の手順を実行する（エンド）。制御部２００はこのような入場検査処理を繰り返して各入場者の入場資格を確認する。
【００２８】
制御部２００の第２の動作例について図８に示すフローチャートを参照して説明する。第２の動作例は既述した図１（Ｂ）に示した実施形態に相当するもので、マスクからの情報検出と体温検出を行なうものである。
【００２９】
係員が電源スイッチ２４をオンにすると、制御部２００は動作を開始する（スタート）。制御部２００は初期化などの初期動作を行い、ＣＣＤカメラ２２を動作させ、撮影した画像をＬＣＤ表示器２７に表示する（ステップＳ１０）。
【００３０】
制御部２００はＬＣＤ表示器２７に「マーカーを測定位置（額）に合わせて開始スイッチを押して下さい」と表示し、係員にＣＣＤカメラ２２を移動して表示器２７の画面のマーカー２７ａを対象者顔画像の額に合わせ、画面内に顔全体が写るようにすることを促す（ステップＳ２０）。このとき、ＣＣＤカメラ２２の撮影範囲内にマスク１０の情報記録部１３が入るようにする。
【００３１】
制御部２００は開始スイッチ２１の出力を監視し（ステップＳ３０，Ｎｏ）、係員が開始スイッチ２１をオンにしたことを検知すると（ステップＳ３０，Ｙｅｓ）、赤外線センサ２３を動作させて対象者の体温を測定し、検出した体温を読み取る（ステップＳ４０）。また、画像を取り込み、画像認識によって情報記録部１３に記録された情報を復号化し、例えば入場券情報を読み取る（ステップＳ５０）。読み取った入場券情報と体温の値は内部メモリに記録される（ステップＳ６０）。
【００３２】
制御部２００は予めプログラムメモリ２０３に体温判別用のデータと情報判別用のデータを記憶している。情報判別用のデータと読み取った入場券情報の一部とを照合し、正規の入場券であるかどうか、あるいはマスク着用者の入場資格の有無を判定する。また、体温判別用のデータと測定された体温とを照合し、入場の適格性を判別する（ステップＳ７０）。そして、判定した結果をＬＣＤ表示機２７に表示させる。例えば、判定結果が情報判別について「真」かつ測定体温について規定の体温以下であればＬＣＤ表示器２７のバックライトを「緑色」とする。判定結果が情報判別について「偽」かつ測定体温について規定の体温以上であればＬＣＤ表示器２７のバックライトを「赤色」とする。
【００３３】
情報判別について「真」「偽」不明あるいは体温判定において真偽不明であれば「黄色」とする（ステップＳ８０）。係員は判別結果が「真」であるときは対象者を入場させ、「偽」であるときは入場を断り、「真」「偽」不明である場合には予め決められた再検査・事情確認等の手順を実行する。制御部２００は情報記録部１３から読み取った入場券情報と検出した体温の各データをサーバー３０に送る。サーバー３０は送られる入場者のデータを元にデータベースを作成する（ステップＳ１００）。制御部２００はこのような入場検査処理を繰り返して各入場者の入場資格を確認する。
【００３４】
図９は、サーバー３０の入場者データベースの一例を説明する説明図である。サーバー３０には、上述したように検出器２０から入場者の情報が逐次送られてくる。また、図示しないチケット予約システムから当該システムに記録された予約申込書等に記載された購入者情報を集めて、入場者データベースに組み入れることができる。入場者データベースには、例えば、データ番号、イベントの名称やイベントを表す番号・符号、イベントの日時、チケットに付されたチケット番号や符号、イベント会場の座席番号、入場時間、退場時間、入場者名、連絡先（電話番号及び／又は住所）等のデータが含まれる。さらに、体温のデータを含めてもよい。チケット予約システム等によってチケット購入者のリストが用意され、当該リストから購入者を照合可能である場合には、入場者データベースはチケット番号等のより少ない項目によって構成されるデータベースであってもよい。このようなデータベースを持つことによって入場者の中から感染症の感染者が発生した場合、濃厚接触者の特定や感染者の移動経路を追跡する資料が得られる。
【００３５】
制御部２００の第３の動作例について図１０に示すフローチャートを参照して説明する。この動作例では、第２の動作例において、ステップＳ８０とステップＳ１００の間にステップＳ９０を設け、係員によって検出器２０の転送スイッチ２５が操作されたときに（ステップＳ９０，Ｙｅｓ）、制御部２００が読み取った入場券情報と体温のデータをサーバー３０に送信するようにしている（ステップＳ１００）。他の構成は図８に示すフローチャートと同様である。
【００３６】
上述した各実施形態では、マスクの表面に入場券の情報を二次元コード等として印刷し、イベント会場入場の際にこれをハンディな検出器（検出装置）によって読み取るようにしたのでマスクを入場券として使用することができ、入場者は必ずマスクを持参することになる。また、当該マスクの記録情報を使用して入場者の入場券の確認、体温検出、入場者名簿の作成等を容易にする検温システムを構築可能である。
【００３７】
なお、本発明は上記した実施形態に限定されず本発明の要旨の範囲内において種々に変形して実施することが可能である。例えば、図７、図８、図１０に示す動作説明では判定処理（ステップＳ７０）を検出器２０にて行っているが、読み取った入場者の入場券情報や体温のデータをサーバー３０に送り、サーバー３０側で判定した結果を検出器２０側に戻すようにしてもよい。そうすれば検出器２０での判定処理が低減される。また、当該処理に必要なプログラムやデータ保存の記憶容量を減らすことが可能となる。
【００３８】
また、情報記録部１３は、マスクへ直接的に印刷することに代えて、ＩＣタグを用いてもよい。この場合、ＩＣタグに入場券情報を記録しておき、検出器（検出装置）でＩＣタグから電磁的に入場券情報を読み出すようにすればよい。同様に、情報記録部１３として磁気テープ等の磁気媒体（磁気チップ）を用いてもよい。また、カメラを備えたスマートフォンにＱＲコードを読み取るアプリケーションプログラムを導入して検出器を構成してもよい。
【符号の説明】
【００３９】
１０  マスク
１１  マスク本体
１２  耳掛け部
１３  情報記録部
２０  検出器（検出装置）
２１  開始スイッチ
２２  ＣＣＤカメラ
２３  赤外線センサ
２４  電源スイッチ
２５  転送スイッチ
２６  リセットスイッチ
２７  ＬＣＤ表示器
２８  ブザー／ＬＥＤ
３０  サーバー
２００  制御部
２０１  増幅器
２０２  電池
２０３  プログラム・データ格納用メモリ
２０４  メモリカード
２０５  無線インタフェース
【要約】
【課題】比較的に簡易な構成で入場者の入場券及びマスク着用確認を可能とするイベント用マスクを提供する。
【解決手段】イベント会場で使用されるマスクであって、前記マスクは当該マスクの正面の一部に機械読み取り可能な情報記録部を有し、当該情報記録部は前記イベント会場への入場に必要な入場許可情報を含む、イベント用マスクである。それにより当該マスクは入場券としての価値を持つので入場者はイベント会場にマスクを持参するようになる。
【選択図】図１【図１】
0006813842.tif 000002
【図２】
0006813842.tif 000003
【図３】
0006813842.tif 000004
【図４】
0006813842.tif 000005
【図５】
0006813842.tif 000006
【図６】
0006813842.tif 000007
【図７】
0006813842.tif 000008
【図８】
0006813842.tif 000009
【図９】
0006813842.tif 000010
【図１０】
0006813842.tif 000011